(57)【要約】【課題】適宜加工等が自由に行い易く、印刷が自由に施し易く、食品用、薬用、化粧品用、雑貨用等の一般的な紙箱や、書籍カバーや、靴の紙製中敷や、紙製トレー等に利用でき、除菌消臭効果が期待でき、衛生的で、汎用性に優れ、除菌消臭被膜層自体に柔軟性があり、紙製品自体の耐久性が優れた紙製品を提供する。【解決手段】適宜紙素材１と、この紙素材１の表面、或いは裏面、或いは表裏両面に設ける除菌消臭被膜層２とを備え、除菌消臭被膜層２は、２〜２．５重量％の酸化チタン５を配合したニス４によって構成する。【選択図】図１
0003110790.tif 000002
【実用新案登録請求の範囲】
【請求項１】
適宜紙素材と、この紙素材の表面、或いは裏面、或いは表裏両面に設けられる除菌消臭被膜層とを備え、除菌消臭被膜層は、２〜２．５重量％の酸化チタンを配合したニスによって構成したことを特徴とする紙製品。
【請求項２】
適宜紙素材と、この紙素材の表面、或いは裏面、或いは表裏両面に設けられる印刷層と、この印刷層の上に設けられる除菌消臭被膜層とを備え、除菌消臭被膜層は、２〜２．５重量％の酸化チタンを配合したニスによって構成したことを特徴とする紙製品。
【考案の詳細な説明】
【技術分野】
【０００１】
本考案は、例えば、食品用、薬用、化粧品用、雑貨用等の一般的な紙箱や、書籍カバーや、靴の紙製中敷や、紙製トレー等に利用できて、印刷部分の保護と、除菌消臭効果が期待できる衛生的な紙製品に関するものである。
【背景技術】
【０００２】
従来、この種の酸化チタン等の光触媒を利用した製品としては種々のものが提案されており、例えば、特許文献１に示すような箱がある。
そして、これは、プラスチック製の箱であって、少なくとも酸化チタン、酸化アルミニウム、酸化ニッケル及び酸化鉄を含むガス分解物質が、箱を構成するプラスチック中に含有されているか又は箱を構成するプラスチックの箱内部の面上の少なくとも一部に塗布されたものである。
【０００３】
【特許文献１】特開平５−１６９７４号公報
【考案の開示】
【考案が解決しようとする課題】
【０００４】
ところが、前述のような箱にあっては、プラスチック製であるため、その加工が自由に行い難い難点があった。また、プラスチック製の箱であるため、印刷が自由に施し難いと共に、その印刷部分を保護できるようには構成されていない難点等があった。
【課題を解決するための手段】
【０００５】
そこで、本考案は、前述の如き難点等を解消できるようにすべく案出されたもので、請求項１記載の紙製品にあっては、適宜紙素材１と、この紙素材１の表面、或いは裏面、或いは表裏両面に設けられる除菌消臭被膜層２とを備え、除菌消臭被膜層２は、２〜２．５重量％の酸化チタン５を配合したニス４によって構成する手段を採用した。
【０００６】
また、請求項２記載の紙製品にあっては、適宜紙素材１と、この紙素材１の表面、或いは裏面、或いは表裏両面に設けられる印刷層３と、この印刷層３の上に設けられる除菌消臭被膜層２とを備え、除菌消臭被膜層２は、２〜２．５重量％の酸化チタン５を配合したニス４によって構成する手段を採用した。
【考案の効果】
【０００７】
従って、本考案の請求項１記載の紙製品によれば、適宜加工等が自由に行い易く、印刷が自由に施し易いものとなる。しかも、食品用、薬用、化粧品用、雑貨用等の一般的な紙箱や、書籍カバーや、靴の紙製中敷や、紙製トレー等に利用でき、その除菌消臭効果が期待でき、衛生的で汎用性の優れた紙製品を提供できるようになる。
そして、除菌消臭被膜層２は、２〜２．５重量％の酸化チタン５を配合したニス４によって構成するので、除菌消臭被膜層２自体に柔軟性もあり、紙製品自体の耐久性が優れたものとなる。
【０００８】
また、本考案の請求項２記載の紙製品によれば、適宜加工等が自由に行い易く、印刷が自由に施し易く、その印刷部分を確実に保護できるようになる。しかも、食品用、薬用、化粧品用、雑貨用等の一般的な紙箱や、書籍カバーや、靴の紙製中敷や、紙製トレー等に利用でき、その除菌消臭効果が期待でき、衛生的で汎用性の優れた紙製品を提供できるようになる。
そして、除菌消臭被膜層２は、２〜２．５重量％の酸化チタン５を配合したニス４によって構成するので、除菌消臭被膜層２自体に柔軟性もあり、紙製品自体の耐久性が優れたものとなる。
【０００９】
特に、印刷層３を除菌消臭被膜層２によって保護でき、その耐摩耗性等の向上が図れるようになると共に、印刷層３のインキの臭い等を確実に消臭できるようになる。
加えて、オフセット印刷機等を利用することにより、紙素材１に印刷層３や除菌消臭被膜層２を簡単に且つ能率良く施せるようになる。
【考案を実施するための最良の形態】
【００１０】
以下、本考案を説明すると、次の通りである。
本考案は、例えば、食品用、薬用、化粧品用、雑貨用等の一般的な紙箱や、書籍カバーや、靴の紙製中敷や、紙製トレーや、紙製ハンガーや、その他の適宜紙素材を利用した紙製品に係り、具体的には、適宜シート状の紙素材１と、この紙素材１の表面、或いは裏面、或いは表裏両面に設けられる除菌消臭被膜層２とを備えたもので、除菌消臭被膜層２は、２〜２．５重量％の酸化チタン５を配合したニス４によって構成したものである。
【実施例】
【００１１】
そして、図示例の紙製品は、適宜シート状の適宜紙素材１と、この紙素材１の表面、或いは裏面、或いは表裏両面に設けられる印刷層３と、この印刷層３の上に設けられる除菌消臭被膜層２とを備えたもので、除菌消臭被膜層２は、２〜２．５重量％の酸化チタン５を配合したニス４によって構成したものである。
【００１２】
前記紙素材１は、除菌消臭被膜層２や印刷層３を施す際には、適宜シート状を呈しており、オフセット印刷機等に連続的に供給できると共にオフセット印刷機等によって、紙素材１に除菌消臭被膜層２や印刷層３を能率良く施せるように構成してある。
そして、紙素材１は、除菌消臭被膜層２や印刷層３が施された後に、適宜切断処理や、適宜プレス処理や、適宜接着処理や、適宜組立て処理等が施されて、所望の紙製品に形成されるものである。
【００１３】
また、前記除菌消臭被膜層２は、紙素材１の表面、或いは裏面、或いは表裏両面に設けられ、しかも、２〜２．５重量％の酸化チタン５をニス４に配合することにより構成されている。
【００１４】
更に、前記印刷層３は、紙素材１の表面、或いは裏面、或いは表裏両面に設けられ、しかも、除菌消臭被膜層２によって被覆されるように構成されている。
尚、印刷層３は、装飾的なものでも良いし、実用的なものでも良いし、適宜自由に設けられるものである。
【００１５】
ところで、図２は、本考案を靴の中敷として実現したもので、中敷の輪郭形状となる紙素材１の表面に、足の寸法に応じた複数の輪郭線（印刷層３）を施し、紙素材１及び輪郭線（印刷層３）の上に除菌消臭被膜層２を設けて構成したものである。すなわち、これを使用する場合は、所望の輪郭線（印刷層３）に沿って切断することで、所望のサイズの中敷となり、しかも、除菌消臭被膜層２によって、除菌消臭効果が得られるように構成されたものである。
【００１６】
尚、紙製品の具体的構成、形状、寸法、材質、紙素材１の具体的構成、形状、寸法、材質、除菌消臭被膜層２の具体的構成、形状、寸法、材質、印刷層３の具体的構成、形状、寸法、材質、ニス４の具体的材質、酸化チタン５の具体的割合等は図示例のもの等に限定されることなく適宜自由に設定、変更できるものである。
【図面の簡単な説明】
【００１７】
【図１】本考案の紙製品を例示する部分断面図である。
【図２】本考案の紙製品の一実施例を示す平面図である。
【符号の説明】
【００１８】
１      紙素材
２      除菌消臭被膜層
３      印刷層
４      ニス
５      酸化チタン
【図１】
0003110790.tif 000003
【図２】
0003110790.tif 000004